(57)【要約】【課題】簡便な構成で、判定対象被印刷物の色再現を、判定することが可能な色再現判定試験用シート、その製造方法、及び色再現判定試験方法を提供することを目的とする。【解決手段】色再現の判定対象である判定対象被印刷物の色再現を判定するための色再現判定試験用シートにおいて、前記判定対象被印刷物が印刷面となるように、前記判定対象被印刷物を、判定の基準となる第１参照被印刷物と、前記第１参照被印刷物とは異なる色再現範囲を有する判定の基準となる第２参照被印刷物上に重ね合わせた試験片と、前記第１参照被印刷物が印刷面となるように、前記第１参照被印刷物を、前記判定対象被印刷物と前記第２参照被印刷物上に重ね合わせた第１参照片と、前記第２参照被印刷物が印刷面となるように、前記第２参照被印刷物を、前記判定対象被印刷物と前記第１参照被印刷物上に重ね合わせた第２参照片と、を有することを特徴とする。【選択図】図３
2010133728.tif 000002
【特許請求の範囲】
【請求項１】
色再現の判定対象である判定対象被印刷物の色再現を判定するための色再現判定試験用シートにおいて、
前記判定対象被印刷物が印刷面となるように、前記判定対象被印刷物を、判定の基準となる第１参照被印刷物と、前記第１参照被印刷物とは異なる色再現範囲を有する判定の基準となる第２参照被印刷物上に重ね合わせた試験片と、
前記第１参照被印刷物が印刷面となるように、前記第１参照被印刷物を、前記判定対象被印刷物と前記第２参照被印刷物上に重ね合わせた第１参照片と、
前記第２参照被印刷物が印刷面となるように、前記第２参照被印刷物を、前記判定対象被印刷物と前記第１参照被印刷物上に重ね合わせた第２参照片と、
を有することを特徴とする色再現判定試験用シート。
【請求項２】
請求項１に記載の色再現判定試験用シートにおいて、
前記第１参照被印刷物は、コート紙、マット紙、上質紙の何れかであり、
前記第２参照被印刷物は、アート紙、コート紙、マット紙の何れかであることを特徴とする色再現判定試験用シート。
【請求項３】
色再現の判定対象である判定対象被印刷物の色再現を判定するための色再現判定試験用シートの製造方法において、
前記判定対象被印刷物が印刷面となるように、前記判定対象被印刷物を、判定の基準となる第１参照被印刷物と、前記第１参照被印刷物とは異なる色再現範囲を有する判定の基準となる第２参照被印刷物上に重ね合わせた試験片を作成する試験片作成工程と、
前記第１参照被印刷物が印刷面となるように、前記第１参照被印刷物を、前記判定対象被印刷物と前記第２参照被印刷物上に重ね合わせた第１参照片を作成する第１参照片作成工程と、
前記第２参照被印刷物が印刷面となるように、前記第２参照被印刷物を、前記判定対象被印刷物と前記第１参照被印刷物上に重ね合わせた第２参照片を作成する第２参照片作成工程と、
を有することを特徴とする色再現判定試験用シートの製造方法。
【請求項４】
請求項３に記載の色再現判定試験用シートの製造方法において、
前記判定対象被印刷物、前記第１参照被印刷物、及び前記第２参照被印刷物をそれぞれ切り取って、複数の分割判定対象被印刷物、分割第１参照被印刷物、及び分割第２参照被印刷物をそれぞれ作成する工程を有し、
前記試験片作成工程は、第１の前記分割判定対象被印刷物を、第１の前記分割第１参照被印刷物と第１の前記分割第２参照被印刷物上に重ね合わせて試験片を作成し、
前記第１参照片作成工程は、第２の前記分割第１参照被印刷物を、第２の前記分割判定対象被印刷物と第２の前記分割第１参照被印刷物上に重ね合わせて第１参照片を作成し、
前記第２参照片作成工程は、第３の前記分割第２参照被印刷物を、第３の前記分割判定対象被印刷物と第３の前記分割第１参照被印刷物上に重ね合わせて第２参照片を作成することを特徴とする色再現判定試験用シートの製造方法。
【請求項５】
請求項３又は請求項４に記載の色再現判定試験用シートの製造方法において、
前記第１参照被印刷物は、コート紙、マット紙、上質紙の何れかであり、
前記第２参照被印刷物は、アート紙、コート紙、マット紙の何れかであることを特徴とする色再現判定試験用シートの製造方法。
【請求項６】
請求項１又は請求項２に記載の色再現判定試験用シートを用いた色再現判定試験方法において、
前記色再現判定試験用シート上にインキを展色する展色工程を有することを特徴とする色再現判定試験方法。
【請求項７】
請求項６に記載の色再現判定試験方法において、
前記展色工程は、被印刷物とインキの印刷適性を試験評価する展色装置を用いて、前記試験片、前記第１参照片、及び第２参照片上にインキを同時に展色することを特徴とする色再現判定試験方法。
【請求項８】
請求項６又は請求項７に記載の色再現判定試験方法において、
前記試験片、前記第１参照片、及び第２参照片を夫々複数箇所測色する測色工程と、
前記試験片の複数箇所における濃度、明度、又は彩度の平均値と、前記第１参照片の複数箇所における濃度、明度、又は彩度の平均値と、前記第２参照片の複数箇所における濃度、明度、又は彩度の平均値と、の少なくとも何れか２つを比較することにより色再現判定を行なうことを特徴とする色再現判定試験方法。
【請求項９】
請求項８に記載の色再現判定試験方法において、
前記試験片の濃度の平均値をＤｓ、前記第１参照片の濃度の平均値をＤｒ１、前記第２参照片の濃度の平均値をＤｒ２とした場合、以下の式１を用いて前記試験片の濃度の平均値を正規化して得られた値であるＤｎと、予め定められた濃度用所定閾値に基づいて、前記判定対象被印刷物の色再現を、前記第１参照被印刷物の色再現範囲に属すか、前記第２参照被印刷物の色再現範囲に属すか、又は、前記第１参照被印刷物の色再現範囲と前記第２参照被印刷物の色再現範囲の間に定義される色再現範囲に属すか、を判定することを特徴とする色再現判定試験方法。
Ｄｎ＝（Ｄｓ−Ｄｒ１）／（Ｄｒ２−Ｄｒ１）×１００    ・・・・・（式１）
【請求項１０】
請求項８に記載の色再現判定試験方法において、
前記試験片の明度の平均値をＬｓ、前記第１参照片の明度の平均値をＬｒ１、前記第２参照片の明度の平均値をＬｒ２とした場合、以下の式２を用いて前記試験片の明度の平均値を正規化して得られた値であるＬｎと、予め定められた明度用所定閾値に基づいて、前記判定対象被印刷物の色再現が、前記第１参照被印刷物の色再現範囲に属すか、前記第２参照被印刷物の色再現範囲に属すか、又は、前記第１参照被印刷物の色再現範囲と前記第２参照被印刷物の色再現範囲の間に定義される色再現範囲に属すか、を判定することを特徴とする色再現判定試験方法。
Ｌｎ＝（Ｌｓ−Ｌｒ１）／（Ｌｒ２−Ｌｒ１）×１００    ・・・・・（式２）
【請求項１１】
請求項９に記載の色再現判定試験方法において、
前記第１参照被印刷物が上質紙であり、前記第２参照被印刷物がコート紙である場合には、前記濃度用所定閾値を２５と７とし、
前記試験片の濃度の平均値を正規化して得られた値Ｄｎが、２５以上である場合には、前記判定対象被印刷物の色再現は、前記第２参照被印刷物の色再現範囲に属すと判定し、
前記試験片の濃度の平均値を正規化して得られた値Ｄｎが、２５未満かつ７以上である場合には、前記判定対象被印刷物の色再現は、前記第１参照被印刷物の色再現範囲と前記第２参照被印刷物の色再現範囲の間に定義される色再現範囲に属すと判定し、
前記試験片の濃度の平均値を正規化して得られた値Ｄｎが、７未満である場合には、前記判定対象被印刷物の色再現は、前記第１参照被印刷物の色再現範囲に属すと判定することを特徴とする色再現判定試験方法。
【請求項１２】
請求項１０に記載の色再現判定試験方法において、
前記第１参照被印刷物が上質紙であり、前記第２参照被印刷物がコート紙である場合には、前記明度用所定閾値を３５と１０とし、
前記試験片の明度の平均値を正規化して得られた値Ｌｎが、３５以上である場合には、前記判定対象被印刷物の色再現は、前記第２参照被印刷物の色再現範囲に属すと判定し、
前記試験片の明度の平均値を正規化して得られた値Ｌｎが、３５未満かつ１０以上である場合には、前記判定対象被印刷物の色再現は、前記第１参照被印刷物の色再現範囲と前記第２参照被印刷物の色再現範囲の間に定義される色再現範囲に属すと判定し、
前記試験片の明度の平均値を正規化して得られた値Ｌｎが、１０未満である場合には、前記判定対象被印刷物の色再現は、前記第１参照被印刷物の色再現範囲に属すと判定することを特徴とする色再現判定試験方法。
【発明の詳細な説明】
【技術分野】
【０００１】
本発明は、印刷用紙や印刷用フィルム等の被印刷物の違いによって生じる色再現の違いに対し、簡単な構成で判定対象被印刷物の色再現の判定を行なうための色再現判定試験用シート及び色再現判定試験方法等の技術分野に属する。
【背景技術】
【０００２】
現在、様々な印刷用紙や印刷用フィルム等の被印刷物があるが、印刷用紙の表面を塗料や白色顔料などで滑らかにコーティングし、印刷時のインク受理性をより向上させた印刷用紙がある。
【０００３】
このような紙表面への塗料や白色顔料などの塗工量が多いほど、色再現が豊かになる、言い換えれば、広い色再現性を有することが知られている。また、紙の比重（密度）が高いほうが広い色再現性を有することも知られている。
【０００４】
一方で、印刷用紙表面への塗料や白色顔料などの塗工量が夫々異なるアート紙、コート紙、マット紙、上質紙が、ジャパンカラー標準用紙として規定されている。
【０００５】
ある印刷用紙（判定対象被印刷物）の色再現が、上記アート紙、コート紙、マット紙、上質紙を判定の基準となる参照被印刷物として、これらのうち何れの色基準に分類されるかを判定する方法として、印刷用紙の色再現を、塗工量や質感等に基づいてＤＤＣＰ（Direct Digital Color Proofing）によりシミュレーションし、判定する方法がある。
【特許文献１】特開２００６−５７２３０号公報
【特許文献２】特開２００７−１００２２号公報
【特許文献３】特開２００５−２１３６９８号公報
【特許文献４】特開２００６−１２１１２４号公報
【発明の開示】
【発明が解決しようとする課題】
【０００６】
ところが、近年、用紙メーカーでは軽量化と携帯性向上を図るため、嵩高（低密度）で紙表面への塗料や白色顔料などの塗工量が少なくても、広い色再現が得られる印刷用紙を多数開発している（特許文献１、２及び３参照）。
【０００７】
このような新たに開発された嵩高かつ塗工量の少ない印刷用紙は、銘柄によってはコート紙と同等の広い色再現が得られるものから、上質紙並の狭い色再現を示すものまで存在し、塗工量、質感、密度等からＤＤＣＰによっても色再現をシミュレーションすることが困難になっている。
【０００８】
さらに、このようなＤＤＣＰにおける色再現のシミュレーションについて、精度を向上する技術や測定負荷を軽減する技術も開発されているが（特許文献４参照）、このような技術を用いる場合も、実際の印刷用紙（判定対象被印刷物と判定の基準となる参照被印刷物（コート紙等））を用いて、ＣＭＹＫを段階的に組み合わせたカラーチャート等を平台校正機または本機印刷機でテスト印刷し、測色しなければならず、版の作成など印刷の準備作業等に手間がかかる。
【０００９】
さらに、判定対象被印刷物とコート紙等を印刷、測色する場合には、それぞれが同じ印刷条件の下に印刷されたものでなければならないが、実際に印刷物が印刷される際には、印圧、ニップ設定、インキ盛量等の誤差が生じ、各印刷物の色再現範囲が変動してしまい、正確なシミュレーションを行なうことができないという問題もある。
【００１０】
本発明は、このような問題に鑑みなされたものであり、簡便な構成で、判定対象被印刷物の色再現を、判定、予測することが可能な色再現判定試験用シート、その製造方法、及び色再現判定試験方法を提供することを目的とする。
【課題を解決するための手段】
【００１１】
上記課題を解決すべく、請求項１に記載の発明は、色再現の判定対象である判定対象被印刷物（例：用紙・フィルム）の色再現を判定するための色再現判定試験用シートにおいて、前記判定対象被印刷物が印刷面となるように、前記判定対象被印刷物を、判定の基準となる第１参照被印刷物（例：上質紙）と、前記第１参照被印刷物とは異なる色再現範囲を有する判定の基準となる第２参照被印刷物（例：コート紙、アート紙など）上に重ね合わせた試験片と、前記第１参照被印刷物が印刷面となるように、前記第１参照被印刷物を、前記判定対象被印刷物と前記第２参照被印刷物上に重ね合わせた第１参照片と、前記第２参照被印刷物が印刷面となるように、前記第２参照被印刷物を、前記判定対象被印刷物と前記第１参照被印刷物上に重ね合わせた第２参照片と、を有することを特徴とする色再現判定試験用シートである。
【００１２】
これによれば、判定対象被印刷物が印刷面である試験片と、色再現範囲が知られており判定の基準となる第１参照被印刷物が印刷面である第１参照片と、色再現範囲が知られており判定の基準となる第２参照被印刷物が印刷面である第２参照片を、全て同一の厚さとなるよう作成したので、色再現判定試験用シートを印刷することにより、判定対象被印刷物と第１参照被印刷物と第２参照被印刷物に対して、同時、かつ、同圧でインキを展色（印刷）することができ、簡便な構成で、正確な色再現判定試験を行なうことができる色再現判定試験用シートを提供することができる。
【００１３】
上記課題を解決すべく、請求項２に記載の発明は、請求項１に記載の色再現判定試験用シートにおいて、前記第１参照被印刷物は、コート紙、マット紙、上質紙のいずれかであり、前記第２参照被印刷物は、アート紙、コート紙、マット紙の何れかであることを特徴とする色再現判定試験用シートである。
【００１４】
これによれば、コート紙、マット紙、上質紙の何れかを第１参照被印刷物とし、当該コート紙、マット紙、上質紙と色基準が比較的大きく異なるアート紙、コート紙、マット紙の何れかを第２参照被印刷物としたので、判定対象被印刷物の色再現を、コート紙、マット紙又は上質紙の何れかの色再現から、アート紙、コート紙又はマット紙の何れかの色再現の範囲で比較することができる。
【００１５】
上記課題を解決すべく、請求項３に記載の発明は、色再現の判定対象である判定対象被印刷物の色再現を判定するための色再現判定試験用シートの製造方法において、前記判定対象被印刷物が印刷面となるように、前記判定対象被印刷物を、判定の基準となる第１参照被印刷物と、前記第１参照被印刷物とは異なる色再現範囲を有する判定の基準となる第２参照被印刷物上に重ね合わせた試験片を作成する試験片作成工程と、前記第１参照被印刷物が印刷面となるように、前記第１参照被印刷物を、前記判定対象被印刷物と前記第２参照被印刷物上に重ね合わせた第１参照片を作成する第１参照片作成工程と、前記第２参照被印刷物が印刷面となるように、前記第２参照被印刷物を、前記判定対象被印刷物と前記第１参照被印刷物上に重ね合わせた第２参照片を作成する第２参照片作成工程と、を有することを特徴とする色再現判定試験用シートの製造方法である。
【００１６】
これによれば、判定対象被印刷物が印刷面である試験片と、色再現範囲が知られており判定の基準となる第１参照被印刷物が印刷面である第１参照片と、色再現範囲が知られており判定の基準となる第２参照被印刷物が印刷面である第２参照片を、全て同一の厚さして作成した色再現判定試験用シートを製造したので、当該色再現判定試験用シートを印刷することにより、判定対象被印刷物と第１参照被印刷物と第２参照被印刷物に対して、同時、かつ、同圧でインキを展色（印刷）することができ、簡便な構成で、正確な色再現判定試験を行なうことができる色再現判定試験用シートを提供することができる。
【００１７】
上記課題を解決すべく、請求項４に記載の発明は、請求項３に記載の色再現判定試験用シートの製造方法において、前記判定対象被印刷物、前記第１参照被印刷物、及び前記第２参照被印刷物をそれぞれ切り取って、複数の分割判定対象被印刷物、分割第１参照被印刷物、及び分割第２参照被印刷物をそれぞれ作成する工程を有し、前記試験片作成工程は、第１の前記分割判定対象被印刷物を、第１の前記分割第１参照被印刷物と第１の前記分割第２参照被印刷物上に重ね合わせて試験片を作成し、前記第１参照片作成工程は、第２の前記分割第１参照被印刷物を、第２の前記分割判定対象被印刷物と第２の前記分割第１参照被印刷物上に重ね合わせて第１参照片を作成し、前記第２参照片作成工程は、第３の前記分割第２参照被印刷物を、第３の前記分割判定対象被印刷物と第３の前記分割第１参照被印刷物上に重ね合わせて第２参照片を作成することを特徴とする色再現判定試験用シートの製造方法である。
【００１８】
これによれば、元々１枚の被印刷物である同一の判定対象被印刷物、第１参照被印刷物、及び第２参照被印刷物からそれぞれ切り取られた（分割した）分割判定対象被印刷物、分割第１参照被印刷物、及び分割第２参照被印刷物を用いて、試験片、第１参照片、及び第２参照片を作成したので、各被印刷物の個体差に影響されることなく、試験片、第１参照片、及び第２参照片を同一条件の下（厚さ均一等）で作成することができる。
【００１９】
上記課題を解決すべく、請求項５に記載の発明は、請求項３又は請求項４に記載の色再現判定試験用シートの製造方法において、前記第１参照被印刷物は、コート紙、マット紙、上質紙の何れかであり、前記第２参照被印刷物は、アート紙、コート紙、マット紙の何れかであることを特徴とする色再現判定試験用シートの製造方法である。
【００２０】
これによれば、コート紙、マット紙、上質紙の何れかを第１参照被印刷物とし、当該コート紙、マット紙、上質紙と色基準が比較的大きく異なるアート紙、コート紙、マット紙の何れかを第２参照被印刷物としたので、判定対象被印刷物の色再現を、コート紙、マット紙又は上質紙の何れかの色再現から、アート紙、コート紙又はマット紙の何れかの色再現の範囲で比較することができる。
【００２１】
上記課題を解決すべく、請求項６に記載の発明は、請求項１又は請求項２に記載の色再現判定試験用シートを用いた色再現判定試験方法において、前記色再現判定試験用シート上にインキを展色する展色工程を有することを特徴とする色再現判定試験方法である。
【００２２】
これによれば、色再現判定試験用シート上の試験片、第１参照片及び第２参照片に同時にインキを展色（印刷）することができ、簡便な構成で、正確な色再現判定試験を行なうことができる。
【００２３】
上記課題を解決すべく、請求項７に記載の発明は、請求項６に記載の色再現判定試験方法において、前記展色工程は、被印刷物とインキの印刷適性を試験評価する展色装置を用いて、前記試験片、前記第１参照片、及び第２参照片上にインキを同時に展色することを特徴とする色再現判定試験方法である。
【００２４】
これによれば、展色装置を用いて色再現判定試験用シート上に均一にインキを転移（展色）させることができる。
【００２５】
上記課題を解決すべく、請求項８に記載の発明は、請求項６又は請求項７に記載の色再現判定試験方法において、前記試験片、前記第１参照片、及び第２参照片を夫々複数箇所測色する測色工程と、前記試験片の複数箇所における濃度、明度、又は彩度の平均値と、前記第１参照片の複数箇所における濃度、明度、又は彩度の平均値と、前記第２参照片の複数箇所における濃度、明度、又は彩度の平均値と、の少なくとも何れか２つを比較することにより色再現判定を行なうことを特徴とする色再現判定試験方法である。
【００２６】
これによれば、試験片、第１参照片及び第２参照片を測色して、試験片の判定対象被印刷物、第１参照片の第１参照被印刷物、及び第２参照片の第２参照被印刷物の濃度、明度又は彩度を測色したので、判定対象被印刷物の色再現を、第１参照被印刷物及び／又は第２参照被印刷物数値の色再現と、数値により具体的に比較することができる。また、試験片、第１参照片及び第２参照片の複数箇所測色し、平均値を用いて比較したので、判定精度を向上させることができる。
【００２７】
上記課題を解決すべく、請求項９に記載の発明は、請求項８に記載の色再現判定試験方法において、前記試験片の濃度の平均値をＤｓ、前記第１参照片の濃度の平均値をＤｒ１、前記第２参照片の濃度の平均値をＤｒ２とした場合、以下の式１を用いて前記試験片の濃度の平均値を正規化して得られた値であるＤｎと、予め定められた濃度用所定閾値に基づいて、前記判定対象被印刷物の色再現を、前記第１参照被印刷物の色再現範囲に属すか、前記第２参照被印刷物の色再現範囲に属すか、又は、前記第１参照被印刷物の色再現範囲と前記第２参照被印刷物の色再現範囲の間に定義される色再現範囲に属すか、を判定することを特徴とする色再現判定試験方法である。
Ｄｎ＝（Ｄｓ−Ｄｒ１）／（Ｄｒ２−Ｄｒ１）×１００    ・・・・・（式１）
【００２８】
これによれば、測色された判定対象被印刷物と第１参照被印刷物と第２参照被印刷物の濃度と、予め定められた濃度用所定閾値と、に基づいて、判定対象被印刷物の色再現が属す色再現範囲を判定することができる。
【００２９】
上記課題を解決すべく、請求項１０に記載の発明は、請求項８に記載の色再現判定試験方法において、前記試験片の明度の平均値をＬｓ、前記第１参照片の明度の平均値をＬｒ１、前記第２参照片の明度の平均値をＬｒ２とした場合、以下の式２を用いて前記試験片の明度の平均値を正規化して得られた値であるＬｎと、予め定められた明度用所定閾値に基づいて、前記判定対象被印刷物の色再現が、前記第１参照被印刷物の色再現範囲に属すか、前記第２参照被印刷物の色再現範囲に属すか、又は、前記第１参照被印刷物の色再現範囲と前記第２参照被印刷物の色再現範囲の間に定義される色再現範囲に属すか、を判定することを特徴とする色再現判定試験方法である。
Ｌｎ＝（Ｌｓ−Ｌｒ１）／（Ｌｒ２−Ｌｒ１）×１００    ・・・・・（式２）
【００３０】
これによれば、測色された判定対象被印刷物と第１参照被印刷物と第２参照被印刷物の明度と、予め定められた明度用所定閾値と、に基づいて、判定対象被印刷物の色再現が属す色再現範囲を判定することができる。
【００３１】
上記課題を解決すべく、請求項１１に記載の発明は、請求項９に記載の色再現判定試験方法において、前記第１参照被印刷物が上質紙であり、前記第２参照被印刷物がコート紙である場合には、前記濃度用所定閾値を２５と７とし、前記試験片の濃度の平均値を正規化して得られた値Ｄｎが、２５以上である場合には、前記判定対象被印刷物の色再現は、前記第２参照被印刷物の色再現範囲に属すと判定し、前記試験片の濃度の平均値を正規化して得られた値Ｄｎが、２５未満かつ７以上である場合には、前記判定対象被印刷物の色再現は、前記第１参照被印刷物の色再現範囲と前記第２参照被印刷物の色再現範囲の間に定義される色再現範囲に属すと判定し、前記試験片の濃度の平均値を正規化して得られた値Ｄｎが、７未満である場合には、前記判定対象被印刷物の色再現は、前記第１参照被印刷物の色再現範囲に属すと判定することを特徴とする色再現判定試験方法である。
【００３２】
これによれば、判定対象被印刷物の濃度の平均値を正規化して得られた値Ｄｎと、予め定められた濃度用所定閾値である２５、７とを比較することにより、判定対象被印刷物の色再現が、上質紙の色再現範囲に属すか、或いは、コート紙の色再現範囲に属すか、或いは、上質紙とコート紙の間に定義される色再現範囲に属すかを判定することができる。
【００３３】
上記課題を解決すべく、請求項１２に記載の発明は、請求項１０に記載の色再現判定試験方法において、前記第１参照被印刷物が上質紙であり、前記第２参照被印刷物がコート紙である場合には、前記明度用所定閾値を３５と１０とし、前記試験片の明度の平均値を正規化して得られた値Ｌｎが、３５以上である場合には、前記判定対象被印刷物の色再現は、前記第２参照被印刷物の色再現範囲に属すと判定し、前記試験片の明度の平均値を正規化して得られた値Ｌｎが、３５未満かつ１０以上である場合には、前記判定対象被印刷物の色再現は、前記第１参照被印刷物の色再現範囲と前記第２参照被印刷物の色再現範囲の間に定義される色再現範囲に属すと判定し、前記試験片の明度の平均値を正規化して得られた値Ｌｎが、１０未満である場合には、前記判定対象被印刷物の色再現は、前記第１参照被印刷物の色再現範囲に属すと判定することを特徴とする色再現判定試験方法である。
【００３４】
これによれば、判定対象被印刷物の明度の平均値を正規化して得られた値Ｌｎと、予め定められた明度用所定閾値である３５、１０とを比較することにより、判定判定対象被印刷物の色再現が、上質紙の色再現範囲に属すか、或いは、コート紙の色再現範囲に属すか、或いは、上質紙とコート紙の間に定義される色再現範囲に属すかを判定することができる。
【発明の効果】
【００３５】
本発明によれば、判定対象被印刷物と第１参照被印刷物と第２参照被印刷物に対して同時かつ同圧でインキを展色（印刷）することができ、簡便な構成で、正確な色再現判定試験を行なうことができる色再現判定試験用シート、その製造方法、及び色再現判定試験方法を提供することができる。
【発明を実施するための最良の形態】
【００３６】
以下、本発明の色再現判定試験用シート、その製造方法、及び色再現判定試験方法の好適な実施の形態を、添付図面に基づいて説明する。
【００３７】
＜１．色再現判定試験用シートとその製造方法＞
初めに、図１乃至図３を用いて本発明の色再現判定試験用シートについて説明する。
【００３８】
図１は、本実施形態における色再現判定試験用シート１００の平面図であり、図２は、色再現判定試験用シート１００の製造方法の説明図、図３は図１のＡ−Ａ断面図である。
【００３９】
図１に示すように、本実施形態における色再現判定試験用シート１００は、台紙１０と、試験片１と、参照片２ａ及び２ｂとにより構成される。
【００４０】
試験片１は、台紙１０上にテープ等により貼付されており、参照片２ａ（第１参照片の一例）及び２ｂ（第２参照片の一例）も、試験片１と同様に台紙１０上にテープ等により貼付されている。
【００４１】
試験片１は、色再現の判定対象である判定対象被印刷物（以下、「サンプル」と言う。）が、色再現判定試験用シート１００の印刷面（図１において手前側）となるよう構成されたものであり、参照片２ａは、判定の基準となる第１参照被印刷物が、色再現判定試験用シート１００の印刷面となるよう構成されたものであり、参照片３ａは、判定の基準となる第２参照被印刷物が、色再現判定試験用シート１００の印刷面となるよう構成されたものである。
【００４２】
判定の基準となる参照被印刷物には、例えば、ジャパンカラー標準用紙など、色再現範囲（色基準）が既に公知である用紙を使用する。
【００４３】
また、サンプルを２つの参照被印刷物と比較するために、色再現範囲が異なる２種類の参照被印刷物を第１参照被印刷物、第２参照被印刷物として用いる。これら第１参照被印刷物、第２参照被印刷物に用いられる用紙は、色再現範囲が既知であって、かつ、色再現範囲が異なるものであればよく、例えば、アート紙、コート紙、マット紙、上質紙を用いる。
【００４４】
なお、色再現範囲が、アート紙＞コート紙＞マット紙＞＞上質紙の順で狭く（小さく）なることから、第１参照被印刷物としては、コート紙、マット紙、上質紙の何れかを用い、第２参照被印刷物としては、アート紙、コート紙、マット紙の何れかを用いることがより好ましい。本実施形態では、第１参照被印刷物として上質紙を用い、第２参照被印刷物としてコート紙を用いた場合を例に説明する。
【００４５】
以下、色再現判定試験用シート１００の製造方法について説明する。
【００４６】
上記試験片１、参照片２ａ及び２ｂは、１枚のサンプル、１枚の上質紙、１枚のコート紙をそれぞれ複数に切り取ったサンプル、上質紙、コート紙（分割判定対象被印刷物、分割第１参照被印刷物、及び分割第２参照被印刷物の一例）が重ね合わせられることにより作成されている。
【００４７】
具体的には、図２に示すように、試験片１は、１枚のサンプルから切り取られたサンプル（一点鎖線）を、１枚の上質紙から切り取られた上質紙（実線）と１枚のコート紙から切り取られたコート紙（点線）の上に重ね合わせて作成される。
【００４８】
そして、参照片２ａは、１枚の上質紙から切り取られた上質紙（実線）を、１枚のサンプルから切り取られたサンプル（一点鎖線）と１枚のコート紙から切り取られたコート紙（点線）の上に重ね合わせて作成される。
【００４９】
そして、参照片２ｂは、１枚のコート紙から切り取られたコート紙（点線）を、１枚のサンプルから切り取られたサンプル（一点鎖線）と１枚の上質紙から切り取られた上質紙（実線）の上に重ね合わせて作成される。
【００５０】
このような試験片１、参照片２ａ及び２ｂが台紙１０上に貼付されて色再現判定試験用シート１００が製造される。
【００５１】
このように製造された色再現判定試験用シート１００の試験片１、参照片２ａ及び２ｂは、図３の断面図に示すように、同一の厚さであるため、色再現判定試験用シート１００にインキを展色する際に、試験片１の印刷面であるサンプルと、参照片２ａの印刷面である上質紙と、参照片２ｂの印刷面であるコート紙へ、均一に印圧を加えることができる。
【００５２】
以下、“色再現判定試験用シート１００の具体的製造例”について説明する。
【００５３】
１０ｃｍ×２０ｃｍ程度の［１］〜［３］の以下の用紙を準備する。
【００５４】
［１］サンプル、
［２］上質紙（四六版／７０ｋｇ以上（８１．４ｇ／ｍ＾２以上）、例えば、ＯＫプリンス上質（王子製紙社製）、しらおい上質（日本製紙社製）
［３］Ａ２コート紙（四六版／７０ｋｇ以上（８１．４ｇ／ｍ＾２以上）、例えば、ＯＫトップコートプラス（王子製紙社製）、オーロラコート（日本製紙社製）
【００５５】
［１］〜［３］の各用紙を２ｃｍ幅に切り取り、３つの用紙を図２を用いて説明したように重ね合わせて、試験片１、参照片２ａ及び２ｂを作成する。
【００５６】
作成した試験片１、参照片２ａ及び２ｂを、台紙１０にテープ等を用いて貼付して色再現判定試験用シート１００を製造する。
【００５７】
＜２．色再現判定試験方法＞
続いて、図４を用いて本発明の色再現判定試験方法について説明する。
【００５８】
上述の方法により製造された色再現判定試験用シート１００上に、所定のインキを展色し、試験片１、参照片２ａ及び２ｂを観察することにより、サンプルの色再現が、上質紙、コート紙の何れの色再現に属すかを判定する。
【００５９】
展色は、藍（Ｃ）、紅（Ｍ）、黄（Ｙ）、墨（Ｋ）の何れかのインキを用いて行なうが、墨（Ｋ）インキを用いることが好ましい。
【００６０】
また、インキを展色する際には、被印刷物とインキの印刷適性を試験評価する展色装置を用いて行なうことが好ましい。展色装置は、２本のローラーによってインキを練り、均一に広げた後に、一定圧、一定速度で被印刷物にインキを転移させる装置であり、例えば、市販の印刷適正装置（ＩＲテスター）等を用いることができる。
【００６１】
上記“色再現判定試験用シート１００の具体的製造例”にて説明した色再現判定試験用シート１００の場合、ピペットで測量した０．１２５ｃｃの墨（Ｋ）インキを、市販の印刷適正装置（ＩＲテスター）等により１／２カットのゴムローラを使用してインキを展色する。なお、展色装置は、一般に１／２カット又は１／４カットのゴムローラを備えているが、本実施形態では、色再現判定試験用シート１００上の試験片１、参照片２ａ及び２ｂに同時にインキを転移させるために、インキ転写部分がより広くとれる１／２カットのゴムローラを使用した。なお、色再現判定試験用シート１００上の試験片１、参照片２ａ及び２ｂに同時にインキを転移させる（印刷する）ことができれば、１／４カットのゴムローラを使用してもよい。
【００６２】
以上説明したように、同一のインキ展色条件下にて、試験片１、参照片２ａ及び２ｂに所定のインキを展色することができるので、インキを十分に乾燥させた後、試験片１の印刷面であるサンプルと、参照片２ａの印刷面である上質紙と、参照片２ｂの印刷面であるコート紙の、夫々の色再現を目視により観察して、サンプルが、上質紙、コート紙の何れの色再現に近いかを判定する。
【００６３】
さらに、インキを十分に乾燥させた後、試験片１の（印刷面である）サンプルと、参照片２ａの（印刷面である）上質紙と、参照片２ｂの（印刷面である）コート紙の濃度、彩度又は明度を測色器により測色することにより、数値により具体的に色再現を比較して判定することもできる。インキ展色時の濃度、明度又は彩度の値と、印刷物における色再現範囲の大小関係には、相関関係があることから、これに基づいて、展色時の濃度、明度又は彩度の値を用いて色再現を判定する趣旨である。
【００６４】
なお、測色においては、色再現範囲を最も反映させる“濃度”を測色することが好ましいが、墨（Ｋ）インキを展色した場合には、“明度”も色再現範囲が比較的よく反映させることができるため、明度を測色してもよく、藍（Ｃ）、紅（Ｍ）、黄（Ｙ）インキを展色した場合には、“彩度” も色再現範囲が比較的よく反映させることができるため、彩度を測色してもよい。
【００６５】
本実施形態では、色再現判定試験用シート１００上に墨（Ｋ）インキを展色し、測色器により濃度と明度を取得した場合の実施例について説明する。
【００６６】
また、本実施形態では、より判定精度を向上させるため、試験片１の（印刷面である）サンプルと、参照片２ａの（印刷面である）上質紙と、参照片２ｂの（印刷面である）コート紙について、それぞれ３箇所ずつ測色を行ない、取得した濃度（又は明度）の平均値を用いて比較することとした。
【００６７】
＜濃度による判定＞
試験片１の（印刷面である）サンプルの濃度の平均値をＤｓ、参照片２ａの（印刷面である）上質紙の濃度の平均値をＤｒ１、参照片２ｂの（印刷面である）コート紙の濃度の平均値をＤｒ２とした場合、サンプルの濃度の平均値Ｄｓを以下の式１により正規化して値Ｄｎ（正規化濃度Ｄｎ）を得る。
Ｄｎ＝（Ｄｓ−Ｄｒ１）／（Ｄｒ２−Ｄｒ１）×１００    ・・・・・（式１）
【００６８】
上記式１にて算出されたサンプルの正規化濃度Ｄｎは、サンプルの濃度がコート紙の濃度に近いほど１００に近い値となり、サンプルの濃度が上質紙の濃度に近いほど０に近い値となる。
【００６９】
本実施形態では、予め定められた濃度用所定閾値に基づいて、サンプルの色再現が、上質紙の色再現範囲に属すか、コート紙の色再現範囲に属すか、或いは、上質紙とコート紙の中間に（中央に限定されない）定義される色再現範囲に属すかを判定する。
【００７０】
例えば、表１に示すように、サンプルの色再現範囲は、
［１］サンプルの正規化濃度Ｄｎが２５以上であれば、コート紙の色再現範囲に分類でき、
［２］サンプルの正規化濃度Ｄｎが２５未満かつ７以上であれば、上質紙とコート紙の中間に（中央に限定されない）定義される色再現範囲に分類でき、
［３］サンプルの正規化濃度Ｄｎが７未満であれば、上質紙の色再現範囲に分類できる。
【表１】
2010133728.tif 000003
【００７１】
＜明度による判定＞
試験片１の（印刷面である）サンプルの明度の平均値をＬｓ、参照片２ａの（印刷面である）上質紙の明度の平均値をＬｒ１、参照片２ｂの（印刷面である）コート紙の明度の平均値をＬｒ２とした場合、サンプルの明度の平均値Ｌｓを以下の式２により正規化して値Ｌｎ（正規化明度Ｌｎ）を得る。
Ｌｎ＝（Ｌｓ−Ｌｒ１）／（Ｌｒ２−Ｌｒ１）×１００    ・・・・・（式２）
【００７２】
上記式２にて算出されたサンプルの正規化明度Ｌｎは、サンプルの明度がコート紙の明度に近いほど１００に近い値となり、サンプルの明度が上質紙の明度に近いほど０に近い値となる。
【００７３】
本実施形態では、予め定められた明度用所定閾値に基づいて、サンプルの色再現が、上質紙の色再現範囲に属すか、コート紙の色再現範囲に属すか、或いは、上質紙とコート紙の間に（中央に限定されない）定義される色再現範囲に属すかを判定する。
【００７４】
例えば、表２に示すように、サンプルの色再現範囲は、
［１］サンプルの正規化明度Ｌｎが２５以上であれば、コート紙の色再現範囲に分類でき、
［２］サンプルの正規化明度Ｌｎが２５未満かつ７以上であれば、上質紙とコート紙の中間に（中央に限定されない）定義される色再現範囲に分類でき、
［３］サンプルの正規化明度Ｌｎが７未満であれば、上質紙の色再現範囲に分類できる。
【表２】
2010133728.tif 000004
【００７５】
以上説明したように、試験片１の（印刷面である）サンプルと、参照片２ａの（印刷面である）上質紙と、参照片２ｂの（印刷面である）コート紙の濃度、彩度又は明度を測色器により測色して取得したサンプルの正規化濃度Ｄｎ（又は正規化明度Ｌｎ）に基づいて、具体的にサンプルの色再現を分類、判定することができる。
【００７６】
また、上質紙、コート紙の基準プロファイルは既に公知であるため、サンプルの正規化濃度Ｄｎ（又は正規化明度Ｌｎ）を、上質紙、コート紙の濃度等の相対値として用いれば、上質紙、コート紙の基準プロファイルを補正することにより、簡易にサンプルのプロファイルを作成することもできる。
【００７７】
なお、上述した実施形態では、予め定められた濃度用所定閾値（又は明度用所定閾値）を用いて、サンプルの色再現を、３つの何れかの色再現範囲に分類したが、サンプルの濃度（又は明度、彩度）と、上質紙、コート紙の何れかの濃度（又は明度、彩度）とを比較し、サンプルの濃度（又は明度、彩度）と、上質紙、コート紙の何れかの濃度（又は明度、彩度）が同一であれば、同一であるほうの色再現範囲に分類するよう構成すればよい。
【００７８】
また、サンプルに用紙表裏差がある場合には、表裏それぞれについて色再現判定を行なうことが好ましい。
【００７９】
なお、本発明は、微塗工紙に限らず、全ての被印刷物について色再現範囲の判定に適用することができる。
【００８０】
さらに、本実施形態では、判定対象被印刷物、第１及び第２参照被印刷物として印刷用紙を用いたが、印刷用紙に限定されず、印刷用フィルム等の色再現範囲の判定にも本発明を適用することができる。なお、印刷用フィルムの色再現範囲の判定に本発明の色再現判定試験方法を適用する場合には、ＵＶ硬化インキなど、展色後、できるだけ早く乾燥するインキを用いることが好ましい。
【図面の簡単な説明】
【００８１】
【図１】本実施形態における色再現判定試験用シート１００の平面図である。
【図２】色再現判定試験用シート１００の製造方法の説明図である。
【図３】図１のＡ−Ａ断面図である。
【符号の説明】
【００８２】
１  試験片
２ａ  参照片
２ｂ  参照片
１０  台紙
１００  色再現判定試験用シート
【図１】
2010133728.tif 000005
【図２】
2010133728.tif 000006
【図３】
2010133728.tif 000007